(57)【要約】【課題】コンバージョンレンズと光学機器のレンズとの光軸を一致させる作業を支援する。【解決手段】光学機器のレンズに対して取り付け可能なコンバージョンレンズに取り付けられるアダプタを備える。このアダプタは、予め定めたマークを配したマーク呈示部と、コンバージョンレンズの光軸上に、マーク呈示部のマークが位置するよう、コンバージョンレンズに固定する固定部と、を備える。【選択図】図３
2014102372.tif 000002
【特許請求の範囲】
【請求項１】
光学機器のレンズに対して取り付け可能なコンバージョンレンズに取り付けられるアダプタであって、
予め定めたマークを配したマーク呈示部と、
前記コンバージョンレンズの光軸上に、前記マーク呈示部の前記マークが位置するよう、前記コンバージョンレンズに固定する固定部と、
を備えたアダプタ。
【請求項２】
請求項１記載のアダプタであって、
前記レンズ側にアダプタが固定された状態で、前記コンバージョンレンズの光軸と、前記レンズの光軸との相対位置を変化させる位置調整手段を備えたアダプタ。
【請求項３】
カメラレンズに対して取り付け可能なコンバージョンレンズに取り付けられるアダプタであって、
予め定めたマークを配したマーク呈示部と、
前記コンバージョンレンズの光軸上に、前記マーク呈示部の前記マークが位置するよう、前記コンバージョンレンズに固定する固定部と、
を備えたアダプタと、
前記アダプタが取り付けられるカメラであって、前記カメラレンズを通した映像を撮像する撮像部と、
前記撮像部により撮像された映像において、前記カメラレンズの光軸上の映像部分に、所定の画像を合成する合成部と、
前記合成部で合成した画像を表示する表示部と、
を含むカメラシステム。
【発明の詳細な説明】
【技術分野】
【０００１】
本発明は、アダプタ、及びカメラシステムに関する。
【背景技術】
【０００２】
近年、携帯電話機にはカメラが内蔵され、広く利用されている。しかしながらこの携帯電話機に内蔵されるカメラのレンズは、小型で、マクロレンズとしての能力や望遠などの能力を持たないのが普通である。
また、プロジェクタ等の投影機器においても、ワイドレンズが望まれる場合がある。
【０００３】
そこで、このようなカメラやプロジェクタ等の光学機器のレンズに取り付けて、マクロ撮影や望遠での撮影を可能としたり、投影像の投影範囲を拡大するコンバージョンレンズが考えられ、利用されている。こうしたコンバージョンレンズは、本来、マスターレンズとしてのカメラレンズやプロジェクタのレンズの光軸に対して、その光軸が一致するように配置される必要がある。
【先行技術文献】
【特許文献】
【０００４】
【特許文献１】特開２００６-０５４５４３号公報
【発明の概要】
【発明が解決しようとする課題】
【０００５】
しかしながら、携帯電話機のカメラレンズやプロジェクタのレンズは、コンバージョンレンズを取り付けることを想定していないため、コンバージョンレンズの取り付けは、おおよその位置合わせをしながら、あるいはコンバージョンレンズとマスターレンズ、あるいはコンバージョンレンズとプロジェクタのレンズとを通じた画像を参照しながら、適切な位置に取り付けることとなっており、光軸を正確に一致させることが困難となっている。
【０００６】
なお、コンバージョンレンズとマスターレンズとの光軸の不一致に基づく画像の不具合を後から画像処理によって補正する技術は、例えば特許文献１に開示されている。しかしこの特許文献１に開示された技術によれば、コンバージョンレンズは、マスターレンズにねじ込み固定可能となっており、光軸のずれ量はつねに同じだけとなる場合を想定している。つまり、コンバージョンレンズの取り付けを考慮していない、携帯電話機のカメラレンズをマスターレンズとする場合にはこの技術は適用できない。
【０００７】
本発明は上記実情に鑑みて為されたもので、コンバージョンレンズの取り付けを考慮していないマスターレンズ等にコンバージョンレンズを取り付ける際に、コンバージョンレンズと光学機器のレンズとの光軸を一致させる作業を支援するアダプタ、及びそれを含んだカメラシステムを提供することを、その目的の一つとする。
【課題を解決するための手段】
【０００８】
上記従来例の問題点を解決する本発明は、光学機器のレンズに対して取り付け可能なコンバージョンレンズに取り付けられるアダプタであって、予め定めたマークを配したマーク呈示部と、前記コンバージョンレンズの光軸上に、前記マーク呈示部の前記マークが位置するよう、前記コンバージョンレンズに固定する固定部と、を備えたものである。
【０００９】
またここで前記光学機器のレンズ側にアダプタが固定された状態で、前記コンバージョンレンズの光軸と、前記光学機器のレンズの光軸との相対位置を変化させる位置調整手段を備えてもよい。
【００１０】
さらに本発明の一態様に係るカメラシステムは、カメラレンズに対して取り付け可能なコンバージョンレンズに取り付けられるアダプタであって、予め定めたマークを配したマーク呈示部と、前記コンバージョンレンズの光軸上に、前記マーク呈示部の前記マークが位置するよう、前記コンバージョンレンズに固定する固定部と、を備えたアダプタと、前記アダプタが取り付けられるカメラであって、前記カメラレンズを通した映像を撮像する撮像部と、前記撮像部により撮像された映像において、前記カメラレンズの光軸上の映像部分に、所定の画像を合成する合成部と、前記合成部で合成した画像を表示する表示部と、を含むこととしたものである。
【発明の効果】
【００１１】
本発明によると、コンバージョンレンズの取り付けを考慮していないマスターレンズにコンバージョンレンズを取り付ける際に、コンバージョンレンズとマスターレンズとの光軸を一致させる作業が支援される。
【図面の簡単な説明】
【００１２】
【図１】本発明の実施の形態に係るカメラシステムの概要を表す説明図である。
【図２】本発明の実施の形態に係るカメラシステムの本体部の構成例を表すブロック図である。
【図３】本発明の実施の形態に係るカメラシステムにおけるコンバージョンレンズの概要例を表す斜視図である。
【図４】本発明の実施の形態に係るカメラシステムにおけるアダプタの概要を表す側面及び斜視図である。
【図５】本発明の実施の形態に係るアダプタが呈示するマークの例を表す説明図である。
【図６】本発明の実施の形態に係るアダプタが呈示するマークを撮像した画像の例を表す説明図である。
【図７】本発明の実施の形態に係るカメラシステムにおける固定部の例を表す概要図である。
【図８】本発明の実施の形態に係るカメラシステムが撮像する画像の例を表す説明図である。
【図９】本発明の実施の形態に係るカメラシステムの本体部における処理例を表すフローチャート図である。
【発明を実施するための形態】
【００１３】
本発明の実施の形態について図面を参照しながら説明する。以下では、まずカメラシステムに適用する例を説明する。本発明の実施の形態に係るカメラシステムは、図１に例示するように、マスターレンズとなるカメラレンズ１を備えた本体部１０と、このカメラレンズ１に取り付けられるコンバージョンレンズ２と、このコンバージョンレンズ２に固定されるアダプタ３とを含んで構成される。
【００１４】
本体部１０は、本実施の形態のある例では、カメラ付の携帯電話機である。この本体部１０は、図２に例示するように、制御部１１と、記憶部１２と、操作部１３と、表示部１４と、通信部１５と、撮像部１６とを含んで構成される。
【００１５】
制御部１１はＣＰＵなどのプログラム制御デバイスであり、記憶部１２に格納されたプログラムに従って動作する。本実施の形態のある例では、この制御部１１は、後に説明する撮像部１６を制御して、撮像部１６が出力する画像情報を受け入れ、この画像情報が表す画像を表示部１４に出力する。この制御部１１の動作については後に述べる。
【００１６】
記憶部１２は、制御部１１によって実行されるプログラムを保持している。このプログラムは、ＤＶＤ-ＲＯＭなどのコンピュータ可読な記録媒体に格納されて提供され、あるいは、後に述べる通信部１５によりネットワークを介して受信されて、この記憶部１２に格納されたものであってもよい。また、この記憶部１２は、制御部１１のワークメモリとしても動作する。
【００１７】
操作部１３は、例えば表示部１４に重ね合わせられたタッチパネルを含む。またこの操作部１３は、テンキーや十字キー等のボタンを備えてもよい。この操作部１３は、使用者によって行われたタッチパネルやボタン等に対する操作の内容を表す情報を、制御部１１に出力する。表示部１４は、ディスプレイ等であり、制御部１１から入力される指示に従って情報を表示する。
【００１８】
通信部１５は、ネットワークインタフェース等であり、制御部１１から入力される指示に従って、制御部１１によって指示された宛先に対し、ネットワークを介して情報を送信する。また通信部１５は、ネットワークを介して受信した情報を制御部１１に出力する。
【００１９】
撮像部１６は、制御部１１から入力される指示に従って、カメラレンズ１を介して得られる像を光学センサで受けて電気的な画像情報を生成する。そしてこの画像情報を制御部１１に出力する。本実施の形態では、この撮像部１６は、制御部１１から入力される指示に従い、カメラレンズ１の焦点位置を制御する。
【００２０】
コンバージョンレンズ２は、図３に例示するように、カメラレンズ１に取り付けて固定するための固定部２１と本体部２２とを含んで構成される。この固定部２１は、本体部２２の接眼側に配され、例えばリング状の部材に剥離可能な粘着部を形成したものであってもよい。ここで粘着部は例えば、シリコーンゴム等で形成されてもよい。このコンバージョンレンズ２を、本体部１０のカメラレンズ１が設けられている位置に対して押圧すると、固定部２１のリング状部材に配された粘着部が、カメラレンズ１の前枠外周に密着して固定される。また、固定部２１は本体部１０のカバーとして構成されてもよい。この場合、固定部２１は、本体部１０を外周から挟みこむ（固定部２１を、弾性を有する材料で形成し、当該弾性により収縮する力を利用して本体部１０を挟ませる）ことで固定される。位置合わせは、固定部２１を弾性変形させて、カメラレンズ１に対して本体部２２の位置を合わせることで行うようにしてもよい。
【００２１】
コンバージョンレンズ２の本体部２２は、鏡筒であり、レンズ等の光学系を内蔵している。この光学系の回転対称軸がこのコンバージョンレンズ２の光軸となる。
【００２２】
アダプタ３は、図４に例示するように、実質的に円筒形の外観を有し、マーク呈示部３１と、固定部３２とを含んで構成される。図４（ａ）はアダプタ３の側面図、図４（ｂ）はマーク呈示部３１側から見た斜視図である。マーク呈示部３１は、半透明の部材に、図５にいくつか例示するマークを描画したもので、当該マークをコンバージョンレンズ２の対物側に呈示するものである。具体的にこのマーク呈示部３１は、平板に図５に例示するようなマークを描画したものである。ここでマークは、マーク呈示部３１を通じて見たときの視野の中心（以下アダプタ３の視野中心と呼ぶ）を、その中心として描かれた１つの円盤や、当該視野中心に相当する位置で交わる十字等、マーク上の一点（アダプタ３の視野中心）を表すものとしておく。
【００２３】
固定部３２は例えばコンバージョンレンズ２の前枠（対物側）に固定されるリング状部材であり、例えばスクリューによりコンバージョンレンズ２の前枠に固定される。なお、この固定部３２は、コンバージョンレンズ２の光軸とアダプタ３の視野中心とを一致させて固定ができればよく、リング状でなくてもよいし、スクリューに限られるものでもない。例えばかしめリングを用いて、前枠を外周側からかしめる構造としてもよい。
【００２４】
使用者は、カメラレンズ１にコンバージョンレンズ２を取り付け、このコンバージョンレンズ２に対してさらにアダプタ３を取り付ける。この状態でカメラレンズ１を備えた本体部１０に対して使用者が撮像の指示を行うと、本体部１０の制御部１１は、撮像部１６が出力する画像情報を受け入れて、この画像情報が表す画像を表示部１４に出力する。このとき、撮像部１６は、コンバージョンレンズ２とカメラレンズ１とを通じて、コンバージョンレンズ２の対物側に取り付けられている、アダプタ３のマーク呈示部３１の画像を取得しており、この画像を表す画像情報を制御部１１に出力している。
【００２５】
具体的に、図５（ａ）に例示した円盤状のマークであれば、焦点面とマーク呈示部３１の面とのずれにより、マークの像がぼけて広がった画像が表示部１４に表示される（図６（ａ））。また図５（ｂ）に例示した十字状のマークであれば、同じくマークの像がぼけて、十字状の濃淡の像が表示される（図６（ｂ））。
【００２６】
制御部１１は、表示部１４に表示する画像に含まれる画素のうち、その画素値の表す色の濃さが予め定めたしきい値を超える画素（明度が所定の明度しきい値を下回る画素）を検出する。そして検出した画素の位置の重心（検出した画素が複数ある場合に、当該画素の位置（ｘ，ｙ）の総和を当該検出した画素の数Ｎで除した位置）を演算する。そして制御部１１は、当該重心の位置に相当する画素の色を予め定めた強調色に設定する。使用者は、このマークの像、並びに強調色に設定された画素の位置により、アダプタ３の視野中心に相当する位置と、表示部１４の中心（カメラレンズ１の光軸に対応する位置）とを一致させるよう、コンバージョンレンズ２の取付け位置を調整する。制御部１１は、また、表示部１４の中心に位置する画素を強調する表示を行い、この画素と上記演算される重心の位置に相当する画素とが一致したときに、一致したことを表す画像を表示してもよい。ここで表示部１４の中心に位置する画素を強調する表示は、当該画素を取り囲む円形図形を、撮像部１６が出力する画像に合成することで行ってもよい。
【００２７】
また、本実施の形態のアダプタの別の例を説明する。本実施の形態の別の例に係るアダプタ３′は、カメラレンズ１と、コンバージョンレンズ２との間に介在して、カメラレンズ１側にアダプタ３′が固定された状態で、コンバージョンレンズ２の回転対象軸と、カメラレンズ１の回転対称軸との相対位置を変化させる位置調整手段を備える。
【００２８】
具体的にこのアダプタ３′は、図７に例示するように、第１固定部３２′ａ、及び第２固定部３２′ｂと、マーク呈示部３１と、ｘｙ軸駆動部３３とを含む。ここで既に説明したものと同様の構成をとる部分については同じ符号を付して詳細な説明を省略する。なお、図面の視認性を考慮してマーク呈示部３１は、コンバージョンレンズ２を表す想像線とともに破線で示している。
【００２９】
第１固定部３２′ａは、図７に例示したように、互いに直交する方向に伸縮する腕部４１，４２を含む。これら腕部４１，４２は、例えばバネ等の弾性体により、それぞれ長さ方向に縮む方向に付勢されている。またこの腕部４１，４２はそれぞれ、一対のレールＲを備える。腕部４１に含まれる一対のレールＲは互いに平行に配され、一対のレールＲのうち一方には、その長さ方向の所定範囲に歯４５が設けられて、ラックとして機能する。腕部４２においても同様に、腕部４２に含まれる一対のレールＲが互いに平行に配され、この一対のレールＲのうち一方には、その長さ方向の所定範囲に歯４５が設けられ、ラックとして機能する。使用者は腕部４１，４２を長さ方向に広げつつ本体部１０（図７破線で表す）を腕部によって抱え込まれる位置に配し、本体部１０に対してアダプタ３′を固定する。
【００３０】
また第２固定部３２′ｂは、かしめリング５１を含み、このかしめリング５１によりコンバージョンレンズ２をその外周から締め込んで固定する。かしめリング５１は、実質的に円筒の形状を有し、その外周には凸部Ｐが形成され、この凸部Ｐにはピニオン４６が設けられて、後に述べるように腕部４２の歯４５に係合している。ｘｙ軸駆動部３３は、図７に例示したように、腕部４２に設けられたピニオン４７が腕部４１の歯４５に係合し、また、第２固定部３２′ｂの支持体５２に設けられたピニオン４６が腕部４２の歯４５に係合して、それぞれ移動可能となっているので、第２固定部３２′ｂに固定されたコンバージョンレンズを、互いに直交する２軸のいずれの方向にも移動可能となっている。
【００３１】
マーク呈示部３１は、これらとは別体として構成されていてもよいし、第２固定部３２′ｂと一体的に構成されていてもよく、コンバージョンレンズ２の対物側に、コンバージョンレンズ２の光軸の延長線上の点を表すマークを呈示する。
【００３２】
この例による場合は、使用者は第１固定部３２′ａを本体部１０に固定し、また、コンバージョンレンズ２を第２固定部３２′ｂに取り付ける。そして使用者は、マーク呈示部３１をコンバージョンレンズ２の対物側に設置して、マークの像を表示部１４に表示させる。
【００３３】
そしてこのマークによって表される、コンバージョンレンズ２の光軸の延長線上の点を、表示部１４の中心に一致させるよう、腕部４２のピニオン４７と、第２固定部３２′ｂのピニオン４６とを回転させて第２固定部３２′ｂの位置を移動させる。これによりアダプタ３′を本体部１０に取り付けた状態で、第２固定部３２′ｂに固定されたコンバージョンレンズ２が本体部１０の面内（ｘ，ｙ軸方向）で自在に移動され、使用者は、コンバージョンレンズ２の光軸の延長線上の点と表示部１４の中心（マスターレンズであるカメラレンズ１の光軸）との相対位置を変化させ、コンバージョンレンズ２の光軸をカメラレンズ１の光軸に一致した位置へ移動させることができる。つまり、このｘｙ軸駆動部３３は、本発明における位置調整手段の一例として機能する。
【００３４】
使用者は、この移動後の位置でコンバージョンレンズ２を再度、第２固定部３２′ｂで固定しなおし、コンバージョンレンズ２のｚ軸方向の位置（コンバージョンレンズ２とマスターレンズであるカメラレンズ１との距離）を調整してもよい。
【００３５】
以上に述べた各例において、使用者はコンバージョンレンズ２の位置の調整を終了した後は、アダプタのマーク呈示部３１を取り外して、実際の撮影を行う。このため、マーク呈示部３１は着脱可能となっていることが好適である。マーク呈示部３１を着脱可能とする構成については、広く知られている種々の方法が採用できるので、ここでの詳しい説明は省略する。
【００３６】
なお、このようにして調整を終了した後に撮影された画像に対しては、制御部１１は、コンバージョンレンズ２を取り付けて撮影されたものであることを表すタグ情報として、予め定めたタグ情報を関連付けて記録してもよい。
【００３７】
さらに本発明の実施の形態の別の例として、アダプタを用いない例について述べる。この例では、アダプタを用いる代わりに、ＸＹ平面上に、Ｘ軸，Ｙ軸の各軸方向に予め定めた間隔で線分を描画した格子線（クロスハッチ）など、予め定められたパターンを、コンバージョンレンズ２を取り付けた上で、撮像部１６にて撮像する。
【００３８】
一例として図８に示したクロスハッチ・パターンを撮像した場合について説明する。一般にマスターレンズであるカメラレンズ１と、コンバージョンレンズ２との光軸が一致していない場合、カメラレンズ１を通じて撮像された像にはコマ収差が生じる。
【００３９】
制御部１１は、図９に例示する処理を行う。すなわち制御部１１は、撮像された格子線像に含まれる各格子の間隔を検出する（Ｓ１）。以下ではクロスハッチ・パターンの左下隅を基準に、この基準からＸ軸方向にあるｉ番目の線を格子線Ｘi、Ｙ軸方向にあるｊ番目の線を格子線Ｙjと書くこととする。制御部１１は、各格子線を検出し（画像から線分を検出する方法は広く知られているのでここでの詳しい説明は省略する）、Ｘ軸方向に、互いに隣接する格子線Ｘi+1とＸiとの間隔ΔＸiを求める（Ｓ２）。同様に制御部１１は、Ｙ軸方向に、互いに隣接する格子線Ｙj+1とＹjとの間隔ΔＹjを求める（Ｓ３）。
【００４０】
制御部１１は、ΔＸiと、ΔＸi+k（ｋは正の整数）とを比較する（Ｓ４）。ここで制御部１１は、ΔＸi＜ΔＸi+k（ｋは正の整数），ΔＸi＞ΔＸi+k（ｋは正の整数），ΔＸi＝ΔＸi+k（ｋは正の整数）のいずれであるかを調べる。ここでΔＸi＜ΔＸi+k（ｋは正の整数）であるならば、制御部１１は、コンバージョンレンズ２の光軸が、マスターレンズであるカメラレンズ１の光軸に対して、Ｘ軸左側にずれていると検出する（Ｓ５）。また、ΔＸi＞ΔＸi+k（ｋは正の整数）であれば、制御部１１は、コンバージョンレンズ２の光軸が、マスターレンズであるカメラレンズ１の光軸に対してＸ軸右側にずれていると検出する（Ｓ６）。さらに、ΔＸi＝ΔＸi+k（ｋは正の整数）であれば、制御部１１は、コンバージョンレンズ２の光軸と、マスターレンズであるカメラレンズ１の光軸とがＸ軸方向では一致していると判断する（Ｓ７）。
【００４１】
さらに制御部１１は、ΔＹjと、ΔＹj+k（ｋは正の整数）とを比較する（Ｓ８）。ここで制御部１１は、ΔＹj＜ΔＹj+k（ｋは正の整数），ΔＹj＞ΔＹj+k（ｋは正の整数），ΔＹj＝ΔＹj+k（ｋは正の整数）のいずれであるかを調べる。ここでΔＹj＜ΔＹj+k（ｋは正の整数）であるならば、制御部１１は、コンバージョンレンズ２の光軸が、マスターレンズであるカメラレンズ１の光軸に対して、Ｙ軸上側にずれていると検出する（Ｓ９）。また、ΔＹj＞ΔＹj+k（ｋは正の整数）であれば、制御部１１は、コンバージョンレンズ２の光軸が、マスターレンズであるカメラレンズ１の光軸に対してＹ軸下側にずれていると検出する（Ｓ１０）。さらに、ΔＹj＝ΔＹj+k（ｋは正の整数）であれば、制御部１１は、コンバージョンレンズ２の光軸と、マスターレンズであるカメラレンズ１の光軸とがＹ軸方向では一致していると判断する（Ｓ１１）。
【００４２】
制御部１１は、処理Ｓ５からＳ７におけるＸ軸方向での判断結果と、処理Ｓ９からＳ１１におけるＹ軸方向での判断結果とを、表示部１４に表示する。具体的にこの表示は、Ｘ軸、Ｙ軸の各軸でのずれの方向を指す矢印を表示するものでよい。使用者はこの矢印により光軸のずれの方向を判断して、コンバージョンレンズ２の位置を調整する。
【００４３】
また、ここでは格子線としたが、格子線に限らず、同心円を用いてもよい。この場合、同心円を構成する各円の中心は、互いに光軸のずれているコンバージョンレンズ２とカメラレンズ１とを通じて撮像すると、コマ収差により、大きい円ほど光軸のずれの方向に移動して撮像される。制御部１１は、この中心の変化の方向を検出して、光軸のずれ方向を検出し、当該方向を表す表示を行う。
【００４４】
また本実施の形態のアダプタ３は、プロジェクタなど投影装置のレンズに取り付けられたコンバージョンレンズ２とともに用いられてもよい。この場合も、アダプタ３は、図４に例示した構成を備える。そして使用者は、プロジェクタのレンズにコンバージョンレンズ２を取り付け、このコンバージョンレンズ２に対してさらにアダプタ３を取り付ける。この状態でプロジェクタに対して使用者が白色画面の投影の指示を行うと、プロジェクタが放射する光がそのレンズとコンバージョンレンズ２、さらにアダプタ３を通じて投影され、コンバージョンレンズ２の対物側に取り付けられている、アダプタ３のマーク呈示部３１の画像が投影された状態となる。
【００４５】
具体的に、図５（ａ）に例示した円盤状のマークがマーク呈示部３１に描画されていれば、投影範囲の中心とマーク呈示部３１を通じて投影される円盤状のマークの中心とのずれによりコンバージョンレンズ２の位置ずれがわかるようになる。また図５（ｂ）に例示した十字状のマークであれば、同じくマークの像の中心と、投影範囲の中心とのずれによりコンバージョンレンズ２の位置ずれがわかるようになる。使用者は、このずれを見ながら、コンバージョンレンズ２の位置合わせを行う。
【００４６】
なお、プロジェクタが、投影範囲の中心や、投影範囲内に格子線や同心円等を投影するテストパターンの投影機能を有している場合は、当該テストパターンを投影させた状態で、位置合わせを行ってもよい。
【００４７】
さらに、図７に例示した本実施の形態の例において、ピニオン４６，４７（複数あるものについてはいずれか一つでよい）を、それぞれに対応して設けられているモータにて駆動することとしてもよい。この場合制御部１１は、通信部１５を介して行う通信により、各モータの回転方向並びに回転量を制御することとしてもよい。
【００４８】
具体的に、この例では、本体部１０の制御部１１がネットワークに接続されるＰＣ（Personal Computer）等の情報処理装置から、ピニオン４６，４７のそれぞれを回転駆動するそれぞれのモータの回転方向並びに回転量に関する指示を受け入れ、各モータの回転方向並びに回転量を制御する。このように回転方向や回転量を制御部１１から制御可能なモータとしてはステッピングモータやサーボモータ等広く知られたモータとその制御回路が利用できるので、ここでの詳しい説明は省略する。
【００４９】
図７の例では、ピニオン４６が回転駆動されることにより、腕部４２の長手方向を軸（便宜的にＹ軸とする）として、このＹ軸の方向にコンバージョンレンズ２が移動することとなる。また図７の例では、ピニオン４７が回転駆動されることで、腕部４１の長手方向を軸（便宜的にＸ軸とする）として、このＸ軸の方向にコンバージョンレンズ２が移動する。
【００５０】
そこで一例では、利用者は、ＰＣ等にインストールされたアプリケーションソフトウエアを利用し、コンバージョンレンズ２の移動量をＸ軸、Ｙ軸のそれぞれの方向にどれだけとするかを入力する。ＰＣはこの入力された値を、ネットワークを介して本体部１０宛に送出する。本体部１０の通信部１５は、このＰＣにて入力された値を受信し、制御部１１に出力する。
【００５１】
そして制御部１１は、入力されたＸ軸方向の移動量及びＹ軸方向の移動量の情報に基づいて、当該移動量に相当する方向に、移動量に相当する回転数だけ、ピニオン４６，４７のそれぞれに対応するモータを回転させる。また制御部１１は、このときにカメラレンズ１を介して撮像部１６が受け入れた画像を取得し、ネットワークを介して当該画像を、ＰＣ宛に送出する。
【００５２】
コンバージョンレンズ２の移動量を送出したＰＣ側では、この画像を受信して利用者に提示する。この例によると、ＰＣ等が配置された遠隔側（本体部１０から離れた場所）からコンバージョンレンズ２の位置調整を行うことが可能となる。
【００５３】
従って、位置調整に慣れていない第１の利用者が本体部１０側におり、位置調整に慣れた第２の利用者が遠隔にいる場合に、当該第１の利用者がアダプタ３を取り付けた状態で第２の利用者に位置調整を依頼し、第２の利用者がネットワークを介して本体部１０に接続されているＰＣを利用して位置調整を行うことができる。位置調整が完了（例えば位置調整のための移動量の指示が予め定めたしきい値時間、例えば３秒だけ受信されなかったときに位置調整が完了したものとして、本体部１０の制御部１１は、その旨を第１の利用者に報知してもよい。この報知は例えばビープ音を鳴動することなどで行うことができる）したときには、第１の利用者はアダプタ３を取り外して撮影を行うこととすればよい。
【符号の説明】
【００５４】
１  カメラレンズ、２  コンバージョンレンズ、３，３′  アダプタ、１０  本体部、１１  制御部、１２  記憶部、１３  操作部、１４  表示部、１５  通信部、１６  撮像部、２１  固定部、２２  本体部、３１  マーク呈示部、３２，３２′  固定部、３３  ｘｙ軸駆動部、４１，４２  腕部、４５  歯、４６，４７  ピニオン、５１  かしめリング、５２  支持体
【図１】
2014102372.tif 000003
【図２】
2014102372.tif 000004
【図３】
2014102372.tif 000005
【図４】
2014102372.tif 000006
【図５】
2014102372.tif 000007
【図６】
2014102372.tif 000008
【図７】
2014102372.tif 000009
【図８】
2014102372.tif 000010
【図９】
2014102372.tif 000011